(57)【特許請求の範囲】
【請求項１】
電磁波を所定領域に発射して物標で反射されたエコー信号を受信するアンテナから前記エコー信号が入力されるエコー信号入力部と、
前記電磁波が発射された方位の前記アンテナからの距離に対応させて各地点の前記エコー信号のレベルを出力するエコー信号レベル検出部と、
前記各地点のうち互いに隣接する地点の前記エコー信号のレベルの変化度を算出するレベル変化度算出手段と、
前記変化度に基づいて、各地点における前記エコー信号のレベルを変化させ、前記物標の輪郭のうち自装置に近い側の輪郭を強調するエッジ強調処理を行ってエッジ強調エコー信号を出力するエッジ強調処理部と、
前記所定領域全体のエコー信号を１スキャンとして、前記エッジ強調エコー信号を用いて複数スキャンのエコー信号の相関値を算出するスキャン相関処理を行う相関処理部と、
を備えたエコー信号処理装置。
【請求項２】
請求項１に記載のエコー信号処理装置において、
前記スキャン相関処理は、第１の時刻に前記アンテナから発射された電磁波による第１のエコー信号と、前記第１の時刻とは異なる第２の時刻に前記アンテナから発射された電磁波による前記第１のエコー信号とほぼ同じ位置での観測信号として観測されたエコー信号のレベルに対する前記エッジ強調処理部により出力されたエッジ強調エコー信号との相関に基づいて、エコー信号の相関値を算出する処理であることを特徴とするエコー信号処理装置。
【請求項３】
請求項１に記載のエコー信号処理装置において、
前記スキャン相関処理は、第１の時刻に前記アンテナから発射された電磁波による第１のエコー信号のレベルに対する前記エッジ強調処理部により出力された第１のエッジ強調エコー信号と、前記第１の時刻とは異なる第２の時刻に前記アンテナから発射された電磁波による第１のエコー信号とほぼ同じ位置での観測信号として観測されたエコー信号のレベルに対する前記エッジ強調処理部により出力された第２のエッジ強調エコー信号との相関に基づいて、エコー信号の相関値を算出する処理であることを特徴とするエコー信号処理装置。
【請求項４】
請求項１に記載のエコー信号処理装置において、
前記相関処理部からの出力信号を記憶する記憶部を有し、
前記スキャン相関処理は、第１の時刻に前記アンテナから発射された電磁波による第１のエコー信号のレベルに対する前記エッジ強調処理部により出力された第１のエッジ強調エコー信号と、前記記憶部に記憶された過去のスキャン相関処理後の信号との相関に基づいて、エコー信号の相関値を算出する処理であることを特徴とするエコー信号処理装置。
【請求項５】
請求項１乃至請求項４のいずれかに記載のエコー信号処理装置において、
前記エコー信号のレベルの変化度は、互いに隣接する前記地点の前記エコー信号のレベル同士の差分であることを特徴とするエコー信号処理装置。
【請求項６】
請求項１乃至請求項４のいずれかに記載のエコー信号処理装置において、
前記エコー信号のレベルの変化度は、前記エコー信号のレベルにより形成される包絡線に対して微分処理を行うことによって算出される微分値であることを特徴とするエコー信号処理装置。
【請求項７】
請求項１乃至請求項４のいずれかに記載のエコー信号処理装置において、
前記エコー信号のレベルの変化度は、前記地点と前記地点周辺の前記エコー信号のレベルに対する重み付け加算処理によって算出される値であることを特徴とするエコー信号処理装置。
【請求項８】
請求項１乃至請求項７のいずれかに記載のエコー信号処理装置において、
前記エッジ強調処理は、前記各地点の前記エコー信号のレベルに対して、前記変化度に基づいて定まる係数を乗算する処理を含むことを特徴とするエコー信号処理装置。
【請求項９】
請求項１乃至請求項７のいずれかに記載のエコー信号処理装置において、
前記エッジ強調処理は、前記エコー信号の変化度が予め定められた閾値を超える場合に前記エッジ強調処理を行うことを特徴とするエコー信号処理装置。
【請求項１０】
請求項１乃至請求項９のいずれかに記載のエコー信号処理装置において、
前記相関処理部の出力信号に基づいて物標の画像を表示する表示手段を備えたエコー信号処理装置。
【請求項１１】
請求項１乃至請求項１０のいずれかに記載のエコー信号処理装置と、
方位毎に電磁波を発射し、エコー信号を受信しながら回転するアンテナと、を備えたレーダ装置。
【請求項１２】
電磁波を所定領域に発射して物標で反射されたエコー信号を受信するアンテナから前記エコー信号が入力されるエコー信号入力ステップと、
前記電磁波が発射された方位の前記アンテナからの距離に対応させて各地点の前記エコー信号のレベルを出力するエコー信号レベル検出ステップと、
前記各地点のうち互いに隣接する地点の前記エコー信号のレベルの変化度を算出するレベル変化度算出ステップと、
前記変化度に基づいて、各地点における前記エコー信号のレベルを変化させ、前記物標の輪郭のうち自装置に近い側の輪郭を強調するエッジ強調処理を行ってエッジ強調エコー信号を出力するエッジ強調処理ステップと、
前記所定領域全体のエコー信号を１スキャンとして、前記エッジ強調エコー信号を用いて複数スキャンのエコー信号の相関値を算出するスキャン相関処理を行う相関処理ステップと、
を備えたエコー信号処理方法。
【請求項１３】
電磁波を所定領域に発射して物標で反射されたエコー信号を受信するアンテナから前記エコー信号が入力されるエコー信号入力ステップと、
前記電磁波が発射された方位の前記アンテナからの距離に対応させて各地点の前記エコー信号のレベルを出力するエコー信号レベル検出ステップと、
前記各地点のうち互いに隣接する地点の前記エコー信号のレベルの変化度を算出するレベル変化度算出ステップと、
前記変化度に基づいて、各地点における前記エコー信号のレベルを変化させ、前記物標の輪郭のうち自装置に近い側の輪郭を強調するエッジ強調処理を行ってエッジ強調エコー信号を出力するエッジ強調処理ステップと、
前記所定領域全体のエコー信号を１スキャンとして、前記エッジ強調エコー信号を用いて複数スキャンのエコー信号の相関値を算出するスキャン相関処理を行う相関処理ステップと、
をコンピュータに実行させるエコー信号処理プログラム。
【発明の詳細な説明】
【技術分野】
【０００１】
この発明は、エコー信号に種々の処理を行うエコー信号処理装置に関するものである。
【背景技術】
【０００２】
従来、レーダ装置等においては、測定した物標の画像（エコー画像）を画面表示する際に、同じ位置に連続して生じないエコー（シークラッタ等）を抑圧し、物標のエコーを強調するスキャン相関処理を行う(特許文献１を参照）。
【先行技術文献】
【特許文献】
【０００３】
【特許文献１】特開平１１−３５２２１２号公報
【発明の概要】
【発明が解決しようとする課題】
【０００４】
しかし、エコーレベルは、送信パルスの条件によって変化するため、スキャン相関を行っても輪郭がぼやける等の問題が生じる場合がある。特に、特許文献１の手法では、重み付け加算処理を行うため、物標のエコーレベルの変動や誤差等により、不動の物標についても輪郭がぼやける場合があった。
【０００５】
そこで、この発明は、送信パルスの条件に起因するぼやけを解消し、物標の輪郭を明りょうに表示することができるエコー信号処理装置を提供することを目的とする。
【課題を解決するための手段】
【０００６】
本発明のエコー信号処理装置は、エコー信号入力部と、エコー信号レベル検出部と、レベル変化度算出手段と、エッジ強調処理部と、相関処理部と、を備えている。エコー信号入力部は、電磁波を所定領域に発射して物標で反射されたエコー信号を受信するアンテナから前記エコー信号が入力される。エコー信号レベル検出部は、前記電磁波が発射された方位の前記アンテナからの距離に対応させて各地点の前記エコー信号のレベルを出力する。レベル変化度算出手段は、前記各地点のうち互いに隣接する地点の前記エコー信号のレベルの変化度を算出する。エッジ強調処理部は、前記方位における前記エコー信号のレベルに対して前記変化度に基づいたエッジ強調処理を行ってエッジ強調エコー信号を出力する。相関処理部は、前記所定領域全体のエコー信号を１スキャンとして、前記エッジ強調エコー信号を用いて複数スキャンのエコー信号の相関値を算出するスキャン相関処理を行う。
【０００７】
物標の輪郭のうち、自船に近い箇所は、互いに隣接する地点間のエコーレベルの変化度（サンプル間の値の変化）が相対的に大きい箇所である（エコーレベルが急激に立ち上がる箇所である）。この立ち上がり部分の測定データは、パルス長等の送信パルス条件が変化しても大きく変動しない情報である。したがって、エッジ強調処理を行ってからスキャン相関を行うことにより、送信パルスの条件に起因するぼやけ等を解消し、物標の輪郭を明りょうに表示することができる。
【０００８】
変化度は、各方位におけるサンプル間の差分値、包絡線の微分値により求めることができる。また、各サンプルについて、周辺地点との重み付け加算（空間フィルタ処理）等により求めることもできる。
【０００９】
エッジ強調の手法は、例えば元の測定データに、微分値に応じた係数を乗算し、重み付けを行うことでエッジ強調を行ってもよい。さらに、エッジ強調の手法として、エッジ部分を抽出する処理を行ってもよい。例えば、上記差分値が所定の閾値以上である箇所は測定データをそのままとし、その他の箇所を０とすることによりエッジ部分を抽出する。
【００１０】
また、スキャン相関は、今回のエッジ強調処理後のデータと、過去の測定データ（エッジ強調処理を行っていない測定データ）との相関を求める処理であってもよいし、微分値によるエッジ強調処理を行った測定データと、エッジ部分を抽出する処理を行った測定データとの相関を求める処理であってもよい。
【発明の効果】
【００１１】
この発明の画像処理方法によれば、送信パルスの条件に起因するぼやけを解消し、物標の輪郭を明りょうに表示することができる。
【図面の簡単な説明】
【００１２】
【図１】本実施形態のレーダ装置の構成を示すブロック図である。
【図２】図２（Ａ）乃至同図（Ｃ）は、従来のレーダ装置の各種信号の概要を説明する図であり、同図（Ｄ）は、従来のレーダ装置のエコー画像を示す模式図である。
【図３】図３（Ａ）乃至同図（Ｃ）は、本実施形態の各種信号の概要を説明する図であり、同図（Ｄ）は、本実施形態のレーダ装置のエコー画像を示す模式図である。
【図４】図４（Ａ）乃至同図（Ｅ）は、１つの送信パルス内に複数の物標が存在する場合において、従来のレーダ装置の各種信号の概要を説明する図である。
【図５】図５（Ａ）乃至同図（Ｃ）は、１つの送信パルス内に複数の物標が存在する場合において、本実施形態の各種信号の概要を説明する図であり、同図（Ｄ）は、本実施形態のレーダ装置のエコー画像を示す模式図である。
【図６】図６（Ａ）は実際の衛星写真であり、同図（Ｂ）は従来のスキャン相関処理を行った場合のレーダ画像であり、同図（Ｃ）は、本実施形態のスキャン相関処理を行った場合のレーダ画像である。
【図７】衝突予防支援装置の代表点を示す模式図である。
【図８】他の例に係るエコー画像を示す模式図である。
【発明を実施するための形態】
【００１３】
図１は、本発明の画像処理装置を内蔵したレーダ装置の構成を示すブロック図である。レーダ装置は、例えば船舶に設置され、自船の周囲に電磁波を送受信し、他船等の物標を探知する装置である。
【００１４】
同図において、レーダ装置は、アンテナ１１、受信部１２、Ａ／Ｄ変換器１３、スイープメモリ１４、エッジ強調処理部１５、微分処理部１６、相関処理部１７、画像メモリ１８、および表示器１９を備えている。
【００１５】
アンテナ１１は、自船の周囲（所定領域）に電磁波を発射し、物標で反射したエコー信号を受信する。受信部１２は、アンテナ１１の受信強度に応じた値をＡ／Ｄ変換器１３に出力する。Ａ／Ｄ変換器１３は、入力されたアナログ値の受信強度をデジタル変換し、測定データとしてスイープメモリ１４に出力する。
【００１６】
スイープメモリ１４は、測定１周期分（自船の周り３６０度分）の測定データを記憶する。各測定データは、極座標系の座標と対応付けられ、スイープデータとして記憶されている。アンテナ１１は、所定角度毎にパルス状に電磁波を送受信するため、スイープデータは、アンテナ１１の各送受信角度（各方位）について、所定サンプルｔ毎（各地点）の離散値Ｘ（ｔ）として記憶される。このスイープデータが自船の周囲全体のエコー信号（１スキャン分のエコー信号）を表す。
【００１７】
エッジ強調処理部１５および微分処理部１６は、スイープメモリ１４からスイープデータを読出し、各種処理を行う。まず、微分処理部１６は、スイープデータの微分処理を行い、各地点のうち、互いに隣接する地点のエコーレベルの変化度を算出する。微分データは、例えばｄ（ｔ）＝Ｘ（ｔ）−Ｘ（ｔ−１）で表されるように、距離方向の各サンプル間の差分値をとることにより生成する。Ｘ（ｔ）が０〜２５５（８ビット）の値をとる場合、ｄ（ｔ）は、−２５５〜２５５の値となる。なお、微分データｄ（ｔ）は、サンプル毎のエコーレベルにより形成される包絡線に対して、各方位に対する微分値であってもよい。また、各地点とその周辺のエコーレベルを平均化（重み付け加算）することにより微分データを生成してもよい。例えば、各サンプルについて、ソーベルフィルタやラプラシアンフィルタ等の空間フィルタ処理を行う。
【００１８】
次に、エッジ強調処理部１５は、スイープメモリ１４から入力したスイープデータに、微分処理部１６で求めた微分データの各値に応じた係数（エッジ強調係数μ）を乗算する処理を行う。すなわち、
【００１９】
【数１】
0005580621.tif 000002
で表される処理を行う。エッジ強調係数μは、
【００２０】
【数２】
0005580621.tif 000003
で表される。ｄｍａｘは微分データｄ（ｔ）の最大値であり、
【００２１】
【数３】
0005580621.tif 000004
は最大値との比を表すから、−０．５〜０．５の値をとることになる。
【００２２】
したがって、エッジ強調係数μは０から１の値をとる。エッジ強調係数μは、微分データｄ（ｔ）の値が大きいほど大きい値をとるため、エッジ強調処理データ
【００２３】
【数４】
0005580621.tif 000005
は、エコーレベルの立ち上がり方に応じて重みづけ処理がなされたデータとなる。つまり、各物標のエッジのうち、自船に近い箇所を強調したデータとなる。
【００２４】
その後、エッジ強調処理部１５は、極座標系のエッジ強調処理データを、自船の位置を原点とした直交座標系に変換して、相関処理部１７に出力する。
【００２５】
相関処理部１７は、エッジ強調処理部１５から入力されるデータと、出力側の画像メモリ１８から読出される過去のデータとの相関を求め、新たなデータとして画像メモリ１８に出力する処理を行う。すなわち、相関処理部１７は、エッジ強調処理部１５から入力される今回のデータＸｎと、画像メモリ１８から読み出される１回転前のスキャン相関処理後のデータＹｎ−１との相関（ほぼ同じ位置での観測信号として観測されたエコー信号同士の重み付け加算）を求め、今回のスキャン相関処理後のデータＹｎを算出して、画像メモリ１８へ出力する。
【００２６】
このスキャン相関処理後のデータが、直交座標系の各座標の画像輝度値（画像データ）として、アンテナ一回転分、画像メモリ１８に記憶される。
【００２７】
表示器１９では、画像メモリ１８に記憶されている画像データがレーダ画像（エコー画像）としてユーザに表示される。
【００２８】
図２乃至図６を参照して、従来のレーダ装置と本実施形態のレーダ装置のエコー画像の違いについて説明する。
【００２９】
まず、図２（Ａ）および同図（Ｂ）に示すように、従来のレーダ装置では、送信パルスの条件が変化すると、エコー信号のレベル（距離方向の特性）が変化する。したがって、相関処理を行うと、同図（Ｃ）に示すような距離方向に広がりを有したエコー信号となってしまい、同図（Ｄ）に示すような距離方向に広がりを有したエコー画像を表示してしまう。すなわち、距離方向分解能が低下し、ぼやけたようなエコー画像を表示してしまう。このときの距離分解能ｄは、ｄ＝ｃ・τ／２（ｃは光速、τは送信パルス長）で表され、サンプリング周期Ｔｓを短くしても、スキャン相関を行っても距離分解能は変化しないため、従来はこのような輪郭のぼやけたエコー画像を補正することはできなかった。
【００３０】
しかし、本実施形態のレーダ装置では、エコーレベルの立ち上がり方に応じて重みづけを行ってエッジ強調処理を行い、さらにこのエッジ強調処理後の測定データを用いて過去のデータとのスキャン相関を行うため、各物標の輪郭のうち自船に近い箇所が強調され、その他の部分が抑制されることになる。すなわち、本実施形態のレーダ装置では、図３（Ａ）および同図（Ｂ）に示すように、エッジ強調処理によって各物標の自船に近い箇所が強調されることになる。物標の輪郭のうち、自船に近い箇所は、サンプル間の値の変化度が相対的に大きい箇所である（エコーレベルが急激に立ち上がる箇所である）。この立ち上がり部分の測定データは、パルス長等が変化しても大きく変動しない情報であり、物標の後方部分に相当する測定データとは異なり、スキャン毎に大きく変化しない情報である。したがって、同図（Ｃ）に示すように、スキャン相関処理を行うことによりエッジ以外の部分のレベルが相対的に下がることになり、距離方向の広がりが抑制されることになる。そのため、同図（Ｄ）に示すように、エッジ強調処理を行ってからスキャン相関を行うことにより、送信パルスの条件に起因する距離方向の広がり（ぼやけ）が抑制され、物標の輪郭を明りょうに表示することができる。
【００３１】
また、本実施形態のレーダ装置では、以下のような複数の物標が存在した場合であっても物標毎の輪郭を明りょうに表示することができる。
【００３２】
図４は、従来のレーダ装置の各種信号を示した図である。従来のレーダ装置では、複数の物標が存在し、図４（Ａ）に示すような物標間の距離よりも短い送信パルスを出力した場合と、同図（Ｂ）に示すような物標間の距離よりも長い送信パルスを出力した場合のエコー信号を受信した場合、複数の物標が存在することがエコー画像から判断することができなくなっていた。
【００３３】
すなわち、短い送信パルスであれば、同図（Ｃ）に示すような物標毎に立ち上がりの大きいエコー信号が受信されるが、長い送信パルスの場合、同図（Ｄ）に示すように、最も近い物標からのエコー信号が受信されている間に、さらに次の物標からのエコー信号が受信される。それぞれの物標からのエコー信号は位相が異なり、１回転前の送信パルスと今回の送信パルスでは、パルス長やエコーレベルも異なり、前方の物標と後方の物標のエコー信号を区別することが困難である。したがって、相関処理を行っても同図（Ｅ）に示すような距離方向に広がりを有したエコー信号となってしまい、距離方向に広がりを有した（輪郭のない）エコー画像を表示してしまうため、複数の物標が存在することがエコー画像から判断することができなくなっていた。
【００３４】
しかし、本実施形態のレーダ装置では、同図（Ａ）および同図（Ｂ）に示すように、送信パルスの条件が変化し、後方の物標のエコー信号が受信された場合においても、エッジ強調処理によって各物標の自船に近い箇所が強調されることになる。したがって、同図（Ｃ）に示すように、スキャン相関処理を行うことにより距離方向の広がりが抑制されることになる。そのため、同図（Ｄ）に示すように、送信パルスの条件に起因する距離方向の広がり（ぼやけ）が抑制され、各物標の輪郭を明りょうに表示することができ、複数の物標が存在することがエコー画像から判断することができる。
【００３５】
図６は、停泊船が多数存在する状況において、実際の衛星写真とレーダ画像を示す図である。図６（Ａ）は実際の衛星写真である。同図（Ｂ）は従来のスキャン相関処理を行った場合のレーダ画像であり、同図（Ｃ）は、本実施形態のスキャン相関処理を行った場合のレーダ画像である。これらの図に示すように、従来のスキャン相関処理では、距離方向に広がり（ぼやけ）が発生するため、停泊船や桟橋、岸壁等がつぶれたようなエコー画像となってしまう。これに対し、本実施形態のレーダ装置では、各物標のエッジが強調され、その他の部分が抑制されるため、送信パルス長に起因する広がり（ぼやけ）がなくなり、停泊船や桟橋、岸壁等がつぶれていないエコー画像となる。
【００３６】
また、本実施形態のレーダ装置によれば、レインクラッタ等のような、距離方向になだらかにレベルが上昇するものについても上記微分処理により抑制されるため、主として衝突予防等の観点から重要な情報（実際の障害物）がエコー画像として表示されることになる。
【００３７】
また、レーダ装置を衝突予防支援装置として用いる場合、例えば、図７に示すように、物標を表すエコー画像の中から代表点を決定し、その代表点から物標の移動方向と移動量（速度）を示すベクトル画像を表示することが行われている。代表点は、自船に最も近い位置とする手法や、重心位置とする場合等の手法が考えられるが、いずれもエコー画像に基づいて算出するものであるため、距離方向に広がりがあるエコー画像であると、代表点を正確に求めることができない場合がある。しかし、本実施形態のように距離方向の広がりが抑制されたエコー画像に基づいて算出すると、代表点を安定して求めることができ、衝突予防支援装置として非常に有用なエコー画像を表示することができる。
【００３８】
なお、エッジ強調処理は、上記の例（微分処理による重み付け）に限るものではない。例えば、微分データが所定の閾値を超えた場合に限り、エッジ強調を行ってもよいし、以下の様なエッジ抽出を行う処理であってもよい。すなわち、エッジ強調係数μを次の数式により求める。
【００３９】
【数５】
0005580621.tif 000006
この場合、微分データの各値が所定の閾値以上である箇所は、測定データをそのままとし、その他の箇所は０となる。したがって、エッジ部分のみを抽出することになる。なお、この場合、図１における微分処理部１６の処理は必要ない。
【００４０】
この場合、相関処理部１７は、エッジ強調処理部１５から入力されるエッジ部分のみを抽出したデータと、画像メモリ１８から読出した過去のデータとの相関を求める。この結果、図８（Ａ）に示すように、各物標の輪郭のうち自船に近い箇所だけが抽出されたエコー画像を表示することになる。この場合の距離分解能は、ｄ＝ｃ・Ｔｓ／２となるため、サンプリング周期Ｔｓを送信パルス長より短くすれば、送信パルスの条件に全く影響されることなく、高い距離分解能を実現することができる。また、物標の輪郭のうち自船に近い位置は、衝突予防等の観点からも非常に重要な情報となるため、当該輪郭のみが明りょうに表示されることの効果は非常に大きい。
【００４１】
また、上記例では、自船に設置されたレーダ装置の測定データのみを入力し、エッジ抽出（または微分による重み付け）およびスキャン相関処理を行っているが、同図（Ｂ）に示すように、他船のレーダ装置や陸地の固定レーダ装置からの測定データを受信し、受信した測定データのエッジ抽出およびスキャン相関処理を行ってもよい。この場合、３６０度方向からのエッジを抽出することができるため、物標の形状を正確に示したエコー画像を表示することができる。
【００４２】
なお、本実施形態において、エッジ強調処理を行っていないエコーデータを画像メモリ（または他のメモリ）に記憶しておき、エッジ強調処理後のデータと、エッジ強調処理を行っていない過去のエコーデータとのスキャン相関処理を行うようにしてもよい。
【００４３】
また、微分値による重み付けを行った測定データと、エッジ部分を抽出する処理を行った測定データとの相関処理を行ってもよい。この場合、スキャン毎に微分値による重み付けとエッジ抽出の両方を行い、いずれかの処理を行った後の測定データを過去のデータとしてメモリに記憶しておき、スキャン相関を行う。
【００４４】
すなわち、本実施形態のレーダ装置によれば、エッジ強調処理データを用いて複数スキャンのエコー信号の相関値を算出するものであればよく、以下のいずれかの処理を行う態様が可能である。
（１）エッジ抽出したデータ同士の相関（エッジ抽出した今回のデータと過去の画像データとの相関）
（２）エッジ部分を抽出したデータと、微分値による重み付けを行ったデータとの相関
（３）エッジ部分を抽出したデータと、エッジ強調処理を行っていないデータとの相関
（４）微分値による重み付けを行ったデータ同士の相関（微分値による重み付けを行った今回のデータと過去の画像データとの相関）
（５）微分値による重み付けを行ったデータと、エッジ強調処理を行っていない過去のデータとの相関
例えば、エッジ抽出したデータ同士の相関をとると、輪郭のみが明りょうに表示されることになり、最も精細感の高いレーダ画像となる。一方で、重み付けを行ったデータと、エッジ強調処理を行っていない過去のデータとの相関をとると、実際の物標の形状に近いレーダ画像を表示することになる（距離方向の広がりをある程度残したレーダ画像となる）。
【００４５】
なお、これらの処理をユーザが選択できるようにしてもよい。例えば、通常時は重み付けを行ったデータ同士のスキャン相関を行うように設定しておき、複数の物標が非常に接近した場合のみ、エッジ部分を抽出したデータ同士の相関をとる処理を選択する等、状況に応じてユーザが見やすいエコー画像を表示することができる。
【符号の説明】
【００４６】
１１…アンテナ
１２…受信部
１３…Ａ／Ｄ変換器
１４…スイープメモリ
１５…エッジ強調処理部
１６…微分処理部
１７…相関処理部
１８…画像メモリ
１９…表示器
【図１】
0005580621.tif 000007
【図２】
0005580621.tif 000008
【図３】
0005580621.tif 000009
【図４】
0005580621.tif 000010
【図５】
0005580621.tif 000011
【図７】
0005580621.tif 000012
【図８】
0005580621.tif 000013
【図６】
0005580621.tif 000014